(57)【要約】【課題】  医師又は薬剤師が指定した医薬品等をその指示に従って、確実に服用できる医薬品等服用支援システムを提供することを目的とする。【解決手段】  医師等が指定した医薬品等の服用指示情報を入力する服用指示情報入力手段と、前記服用指示情報を利用者別に記憶する服用指示情報記憶手段と、前記服用指示情報記憶手段にて記憶された服用指示に従って服用したか否かを利用者が入力して服用履歴として記憶させるための服用履歴情報記憶手段と、前記服用指示情報に指示されている服用日時から設定時間経過したときに、該服用指示情報と前記服用履歴情報とが一致しているか否かを判断する判断手段と、この判断手段にて服用指示情報と服用履歴情報とが一致していないことが判断されたときの出力信号に基づいて該当する利用者に通信手段にて通知するための通知手段とを、コンピュータに備えさせる。【選択図】        図２
2005202647.tif 000002
【特許請求の範囲】
【請求項１】
医師又は薬剤師が指定した医薬品及びサプリメントのうちの少なくともいずれか一方の服用指示情報を入力する服用指示情報入力手段と、前記服用指示情報入力手段により入力された情報を利用者別に記憶する服用指示情報記憶手段と、前記服用指示情報記憶手段にて記憶された服用指示に従って服用したか否かを利用者が入力して服用履歴として記憶させるための服用履歴情報記憶手段と、前記服用指示情報に指示されている服用日時から設定時間経過したときに、該服用指示情報と前記服用履歴情報とが一致しているか否かを判断する判断手段と、この判断手段にて服用指示情報と服用履歴情報とが一致していないことが判断されたときの出力信号に基づいて該当する利用者に通信手段にて通知するための通知手段とを、コンピュータに備えさせたことを特徴とする医薬品等服用支援システム。
【請求項２】
前記各利用者が体温、脈拍、血圧のうちの少なくとも１つの測定値を入力するための健康状態入力手段と、前記服用指示情報記憶手段にて記憶された服用指示に従って服用している期間内に、前記健康状態入力手段にて入力された測定値と医師により予め設定されている目標値とを比較するための比較手段と、この比較手段にて測定値が目標値に達したことが判断されたときの出力信号に基づいて該当する利用者に服用の中止を前記通信手段を介して通知するための第２通知手段とを備えてなる請求項１記載の医薬品等服用支援システム。
【請求項３】
前記服用指示情報記憶手段にて記憶された服用指示の日時と現在の日時を比較するための日時比較手段と、この日時比較手段にて服用指示の日時と現在の日時とがほぼ一致していることが判断されたときの出力信号に基づいて前記通信手段を介して通知するための第３通知手段とを備えてなる請求項１又は２に記載の医薬品等服用支援システム。
【請求項４】
健康状態を把握するために予め記憶されている複数の質問事項に対して応答した内容を入力する応答入力手段と、各利用者の応答内容、前記測定値、前記服用履歴に基づいて各利用者の服用による傾向をグラフ化するためのグラフ処理手段とを備えてなる請求項２又は３のいずれかに記載の医薬品等服用支援システム。
【請求項５】
前記利用者が服用した医薬品やサプリメント毎の服用効果を、少なくとも年齢別及び男女別に分類する分類処理手段を備えてなる請求項１〜４のいずれかに記載の医薬品等服用支援システム。
【請求項６】
前記通信手段が、インターネットを介して送受信可能となる電子メールでなる請求項１〜５のいずれかに記載の医薬品等服用支援システム。
【発明の詳細な説明】
【技術分野】
【０００１】
本願発明は、医師又は薬剤師が指定した医薬品及びサプリメント等の服用を忘れることなく、医者や薬剤師等からの指示に従って服用するための医薬品等服用支援システムに関するものである。
【背景技術】
【０００２】
従来、医師や薬剤師等が記載した処方箋に従って、医薬品、サプリメント、医薬部外品等を、例えば、服薬であれば一日食後三回服用したり、塗り薬であれば一日朝晩二回塗布するなど行っている。
【０００３】
また、医師や薬剤師などが入力した処方箋の情報を患者別に記憶された処方箋ファイルと、薬局などで患者に販売される医薬部外品の情報を患者別に記憶された部外品販売ファイルと、さらに前記医薬部外品同士の相互作用、前記医薬品と医薬部外品との相互作用に関する情報を記憶した部外品ファイルをコンピュータに備えさせ、患者が服用している医薬品と該患者が服用する医薬部外品との関係において不適切であるか否かや、医薬部外品同士を服用したときの関係において不適切であるか否かを判断し、不適切である場合には、医薬部外品の販売を中止したり、不適切とならないようなを作成するように促す医薬品等販売システムがある（例えば、特許文献１参照。）。
【特許文献１】特開平１１−３２８２９４号公報
【発明の開示】
【発明が解決しようとする課題】
【０００４】
しかしながら、服用したときの関係において適切となる医薬品、サプリメント、医薬部外品等を患者が購入することができる利点があるものの、単に処方箋に記載された指示に従って服用する場合、服用することを忘れてしまい、医薬品、サプリメント、医薬部外品等による効力を十分に発揮することができないものであった。特に、食後３０分後に服用したり、食中に服用する場合などは、仕事や勉強の途中で服用するため、服用のタイミングを逸してしまうことが多々あり、指示通りの所定時間に服用することは困難であった。
【０００５】
本願発明が前述の状況に鑑み、解決しようとするところは、医師又は薬剤師が指定した医薬品等（医薬品、サプリメント、医薬部外品等）をその指示に従って、確実に服用できる医薬品等服用支援システムを提供する点にある。
【課題を解決するための手段】
【０００６】
本願発明に係る医薬品等服用支援システムは、医師又は薬剤師が指定した医薬品及びサプリメントのうちの少なくともいずれか一方の服用指示情報を入力する服用指示情報入力手段と、前記服用指示情報入力手段により入力された情報を利用者別に記憶する服用指示情報記憶手段と、前記服用指示情報記憶手段にて記憶された服用指示に従って服用したか否かを利用者が入力して服用履歴として記憶させるための服用履歴情報記憶手段と、前記服用指示情報に指示されている服用日時から設定時間経過したときに、該服用指示情報と前記服用履歴情報とが一致しているか否かを判断する判断手段と、この判断手段にて服用指示情報と服用履歴情報とが一致していないことが判断されたときの出力信号に基づいて該当する利用者に通信手段にて通知するための通知手段とを、コンピュータに備えさせたことを特徴とする。
したがって、設定時間になっても、利用者が服用履歴を入力していない場合には、判断手段にて服用指示情報と服用履歴情報とが一致していないことが判断され、利用者に服用していないことを通信手段を介して通知されることによって、食後、食中を問わず、医師などの指示通りの時間に、確実に服用することができるようになる。尚、判断手段にて服用指示情報と服用履歴情報とが一致していないことを判断する判断基準となる設定時間としては、服用時間から５分以内又は１０分以内あるいは３０分以内など、どのような時間に設定しておいてもよいが、設定時間は短いほど所定の服用時間から少ない遅れ時間となり、好ましい。
【０００７】
また、前記各利用者が体温、脈拍、血圧のうちの少なくとも１つの測定値を入力するための健康状態入力手段と、前記服用指示情報記憶手段にて記憶された服用指示に従って服用している期間内に、前記健康状態入力手段にて入力された測定値と医師により予め設定されている目標値とを比較するための比較手段と、この比較手段にて測定値が目標値に達したことが判断されたときの出力信号に基づいて該当する利用者に服用の中止を前記通信手段を介して通知するための第２通知手段とをコンピュータに備えさせてもよい。
【０００８】
また、前記服用指示情報記憶手段にて記憶された服用指示の日時と現在の日時を比較するための日時比較手段と、この日時比較手段にて服用指示の日時と現在の日時とがほぼ一致していることが判断されたときの出力信号に基づいて前記通信手段を介して通知するための第３通知手段とをコンピュータに備えさせて、患者に対して医薬品等を服用するときを通知してもよい。
【０００９】
また、健康状態を把握するために予め記憶されている複数の質問事項に対して応答した内容を入力する応答入力手段と、各利用者の応答内容、前記測定値、前記服用履歴に基づいて各利用者の服用による傾向をグラフ化するためのグラフ処理手段とをコンピュータに備えさせてもよい。
【００１０】
また、前記利用者が服用した医薬品やサプリメント毎の服用効果を、少なくとも年齢別及び男女別に分類する分類処理手段をコンピュータに備えさせてもよい。
【００１１】
また、前記通信手段が、インターネットを介して送受信可能となる電子メールでなるようにして、携帯電話等の通信端末を携帯しているだけで、外出先でも適切な通知を受けることができるようにしてもよい。
【発明の効果】
【００１２】
以上にしてなる本願発明に係る医薬品等服用支援システムは、医師や薬剤師などによって指定された医薬品、サプリメント等の服用指示情報と、患者が前記医薬品等を服用した服用履歴とを比較して、前記服用指示情報に従って服用しているかどうかを判断し、服用指示に従って服用していない（服用を忘れている）場合には、患者に服用することを促すことができ、服用忘れを防止することができ、医師や薬剤師は医薬品、サプリメント等の服用による効力を適切に知ることができ、個人に合致した医薬品等を勧めることができるだけでなく、医薬品等の服用する量や服用時間を適切に指示することができる。
【００１３】
また、利用者の体温、脈拍、血圧などの測定値を入力すると、医師によって予め設定されたそれらの目標値と比較して、該目標値に達している場合には、医薬品等の服用中止を促す通知を利用者に送信するので、利用者は適切な時期に医薬品等の服用を中止することができるので、必要以上（過度）に医薬品等を服用することもなく、医薬品等による副作用などを最小限にすることもできる。
【００１４】
また、服用指示情報に記憶されている医薬品等の服用の日時と、現在の日時とがほぼ一致している場合には、利用者に対して医薬品等の服用を通知するので、利用者は服用すべきタイミングが分かり、忘れずに服用することができる。
【００１５】
また、予め設定されている質問に対して利用者が応答することで、健康状態を判断するための簡単な問診を行うことができ、利用者の健康状態を理解できるだけでなく、医薬品等の服用効果を判断することができる。また、応答内容、測定値、服用履歴等のデータをグラフ表示することで、医師や薬剤師などは各データに基づいて各利用者に合致した医薬品等を勧めることができるだけでなく、医薬品等の服用する量や服用時間を適切に指示することができる。
【００１６】
また、利用者が服用した医薬品やサプリメント毎の服用効果を少なくとも年齢別及び男女別に分類処理するので、その処理結果から医薬品等の効果を医師や薬剤師などが参照でき、少なくとも年齢別及び男女別の服用効果情報に基づいて、以後の医薬品等の服用指示（医薬品などの種類、服用量、服用時間）に活用することができる。
【００１７】
また、コンピュータと利用者が使用する通信端末とは、インターネットを介して電子メールを送受信するので、携帯電話等の通信端末を携帯するだけで、外出先からも服用履歴を入力したり、各種通知（服用忘れの通知、服用中止の通知など）を受け取ることができる。
【発明を実施するための最良の形態】
【００１８】
本願発明に係る医薬品等服用支援システムは、図１に示すように、インターネットＩ等の通信手段を介してサーバＳ、医師や薬剤師が使用する医師用の通信端末（以下、医師用端末と称す。）Ｍ、本医薬品等服用支援システムを利用する利用者用の通信端末（以下、利用者端末と称す。）Ｔとが、それぞれ通信接続可能となっている。通信手段としては、インターネットＩに限定するものではなく、有線電話回線、無線電話回線、各種の専用通信接続回線、ＬＡＮなどの電気通信回線であればよく、前記医師用端末Ｍ、及び前記利用者端末Ｔと前記サーバＳとの間で各種データの通信が可能なものであればよい。また、前記インターネットＩには、医師、薬剤師、利用者等が電子メールなどの送受信可能な電子メールサーバ（図示しない）等を備えている。前記医薬品等としているのは、医薬品の他、医薬部外品やサプリメントを含むためである。
【００１９】
前記医師用端末Ｍは、医師や薬剤師などが該医師用端末Ｍを操作して、サーバＳに服用指示情報（医薬品等の種類、一回に服用する量、服用時間、服用期間）等を入力したり、サーバＳで処理されたデータや記録されているデータを閲覧可能な通信端末であり、より具体的にはパーソナルコンピュータや携帯電話などのコンピュータである。そして、前記利用者端末Ｔは、前記医師や薬剤師などから医薬品及びサプリメント等の服用の指示を受けた利用者が、該利用者端末Ｔを操作して、サーバＳに服用履歴情報等の情報を入力したり、各種通知手段（通知手段、第２通知手段、第３通知手段）からの通知を受信可能な通信端末であり、より具体的にはパーソナルコンピュータや携帯電話などのコンピュータである。尚、前記医師用端末Ｍは、医師や薬剤師から指示を受けた者であれば、他の者が操作（入力）してもよい。
【００２０】
なお、本願発明において、サプリメントとは、「栄養食品」、「栄養補助食品」、「健康食品」、「健康補助食品」と称されるものであり、医薬品や医薬部外品以外の服用可能なものを示す。また、本実施例では、医薬品、医薬部外品、サプリメントは、錠剤、顆粒、液状等の服用するものであるが、その他の塗り薬、点眼薬などの服用しない医薬品、医薬部外品、サプリメントであってもよい。
【００２１】
前記サーバＳには、図２に示すように、服用指示情報入力手段１、服用指示情報記憶手段２、服用履歴情報記憶手段３、判断手段４、通知手段５、健康状態入力手段６、比較手段７、目標値記憶手段８、第２通知手段９、日時比較手段１０、第３通知手段１１、応答入力手段１２、グラフ処理手段１３、分類処理手段１４とが備えられたコンピュータである。また、上記の各手段は、コンピュータのハードウエアとソフトウエアが協働して稼働して実現しているものである。なお、図２では、一台のコンピュータに上記の各手段が備えられるように示しているが、複数のコンピュータが連動して実現するようにしてもよく、例えば、前記服用指示情報入力手段１は前記医師用端末Ｍが備えたり、前記健康状態入力手段６が前記利用者端末Ｔが備えるようにしてもよい。
【００２２】
前記服用指示情報入力手段１は、例えば、「２００４年の４月２７日から４月３０日までの間に、Ａ薬を一日３回食後に１錠、Ｂ薬を一日朝夕の食後２時間後に２錠、それぞれ服用する。」という内容の服用指示情報を入力する手段であり、医師や薬剤師などが前記医師用端末Ｍを直接操作して、該服用指示情報が入力される。前記服用指示情報記憶手段２は、前記服用指示情報入力手段１により入力された服用指示情報を利用者別に記憶する手段である。この場合、食事時間は、利用者によってバラツキがあるため、予め利用者に食事時間を聞いておき、具体的な服用時間（日にちも含めて）を設定することになる。
【００２３】
また、前記服用履歴情報記憶手段３は、利用者が前記利用者端末Ｔを操作して前記服用指示情報に基づいて服用した医薬品等を服用したか否かを示す服用履歴情報を記憶する手段である。前記判断手段４は、前記服用指示情報記憶手段２に記憶されている服用指示情報と、前記服用履歴情報記憶手段３に記憶されている服用履歴情報とが、該服用指示情報の開始日時（前記のように予め設定された服用時間）から予め設定されている時間（例えば３０分）経過した時点で、一致しているか否かを判断する手段であり、一致していない場合には、服用することを忘れているとコンピュータが判断し、前記通知手段に出力信号を送信する。前記通知手段５は、前記判断手段４からの出力信号に基づいて該当する利用者に電子メールなどで医薬品等の服用を促す手段である。なお、利用者は予め自身の電子メールアドレスなどの情報を記憶させておき、前記通知手段５は該当する利用者の電子メールアドレスを検索して通知する。前記服用指示情報の服用時間から３０分経過した時点で利用者が服用履歴情報記憶手段３に服用履歴情報を記憶させることを忘れている場合に、前記通知手段に出力信号を送信するようにしたが、５分、１０分、２０分など、どのような時間に設定しておいてもよいが、時間が短いほど服用忘れを直ちに送信することができる利点があるが、最大で１時間以内に設定することが好ましい。尚、服用時間に服用しているが、その服用したことを利用者が服用履歴情報記憶手段３に服用履歴情報として記憶させることを忘れている場合にも、前記通知手段に出力信号を送信されることになる。尚、コンピュータに、現在の時間情報を把握する時間情報把握手段を備えると共に、該時間情報把握手段にて把握した時間と前記服用時間とが一致したかどうかを判断する服用時間判断手段及びその服用時間判断手段にて判断された服用時間から所定時間経過したことを把握するための時間カウント手段を備えさせておくことになる。
【００２４】
前記健康状態入力手段６は、利用者の体温、脈拍、血圧のうちの少なくとも一つの測定値を入力するための手段であり、利用者等が測定した該測定値を利用者端末Ｔを操作して入力される。
前記目標値記憶手段８は、前記服用指示情報を入力するときに、医師が利用者毎に医薬品等の服用を中止してもよいと判断して、予め設定された体温、脈拍、血圧などの目標値を記憶する手段であり、例えば、「二日間、体温が３６．８度以下であれば服用を中止してもよい。」等のような情報が記憶される。
前記比較手段７は、前記服用履歴情報記憶手段３に記憶されている服用履歴情報と、前記目標値記憶手段に記憶されている目標値とを比較して、該目標値に達している（目標値で示されている条件を満たしている）場合に、前記第２通知手段９に出力信号を発する手段である。
そして、前記第２通知手段は、前記比較手段７によって発せられた出力信号に基づいて、該当する利用者に対応する電子メールアドレスを検索して、該利用者のアドレスに服用中止を促す電子メールを送信する。
【００２５】
また、前記日時比較手段１０は、前記服用指示情報記憶手段２に記憶されている服用指示の日時と、サーバＳが備える時計の日時とを比較する手段であり、比較の結果、服用指示情報に含まれる服用指示の日時と、現在の日時がほぼ一致している場合には、前記第３通知手段１１に出力信号を発信する。
前記第３通知手段１１は、前記日時比較手段１０からの出力信号に基づいて該当する利用者に対応する電子メールアドレスを検索して、該利用者のアドレスに医薬品等の服用を促す電子メールを送信する。
【００２６】
また、前記応答入力手段１２は、図６に示すように、前記利用者の健康状態を把握するために予め記憶されている複数の質問事項（例えば、質問１「だるさを感じますか？」や、質問２「痛みを感じる箇所はありますか？」、質問３「気分が悪いですか？」等の質問事項）に対して利用者が応答した内容を入力する手段である。
そして、前記グラフ処理手段１３は、多数の利用者から得た前記応答内容に基づいて例えば体調がＸに分類される場合か体調がＹに分類される場合かに区別し、体調がＸに分類される利用者に３種類の薬をそれぞれ所定時間（図では毎日午後１２時）に服用してもらい、体温が所定体温になるまで測定してもらったデータを基にして、図４に示すようにグラフ化し、前記医師用端末Ｍや、利用者端末Ｔに表示するものである。また、図５では、体調がＹに分類される利用者に前記のように３種類の薬をそれぞれ所定時間（図では毎日午後１２時）に服用してもらい、体温が所定体温になるまで測定してもらったデータを基にしてグラフ化し、前記医師用端末Ｍや、利用者端末Ｔに表示したものである。このように体調によって、服用する薬の種類を変更した方が体温を下げる効果が異なる結果になっており、医師などはこれらの状況に基づいて服用する薬などを適切に選択することができる。尚、ここでは、体調がＸに分類される場合と体調がＹに分類される場合の２つに分類したが、３つ以上に分類してより細かいデータ（グラフ）を得るようにしてもよいし、また、アレルギー体質などの体質に関する質問事項を応答させて更に細かいグラフを得るようにしてもよい。
【００２７】
また、前記分類処理手段１４は、前記服用履歴情報記憶手段３に記憶されている服用履歴情報と、前記健康状態入力手段６により入力された前記測定値と、前記応答入力手段１２により入力された応答内容に基づき、年齢別（年代別）、男女別に医薬品等の服用効果を分類する手段である。
具体的には、体調がＸに分類される場合の利用者が、図４で示した服用を行った場合において、それら利用者を男女別に分類し、さらに男女毎の年齢別にグラフ化したものを図７（ａ），（ｂ）に示している。図７（ａ）では、男性の２０歳代、３０歳代、４０歳代、５０歳代の年代別の医薬品の効力をそれぞれ示し、図７（ｂ）では、女性の２０歳代、３０歳代、４０歳代、５０歳代の医薬品の効力をそれぞれ示している。このように男女別及び年齢（年代）別にグラフ化することによって更に利用者に合致した薬（医薬品など）を勧めることができる。尚、図７（ａ），（ｂ）では、体調がＸに分類される場合としているが、体調がＹに分類される場合であってもよいし、また、分類される体調に無関係に年齢別（年代別）、男女別のみの服用効果をグラフ化するようにしてもよい。
【００２８】
つぎに、風邪などの疾病を感じた利用者が医師に診断され、該医師が発行した処方箋の指示に従って医薬品等を服用するときに、本願発明に係る医薬品等服用支援システムを使用した場合について述べる。
【００２９】
まず、風邪などの疾病を感じている利用者は医師に該疾病の診断を行ってもらい、医薬品（医薬部外品、サプリメント）の処方箋を発行してもらう。そして、利用者は、該処方箋に沿って処方された医薬品を薬剤師から配布される。このとき、医師又は薬剤師が前記医師用端末Ｍを操作して、例えば、「２００４年の４月２７日から５月６日までの間に、Ａ薬を朝夕の食後直ぐに１錠、Ｂ薬を一日三回の食後二時間後に２錠、それぞれ服用する。」といった服用指示情報を入力すると、図３に示すスケジュール表の所定欄（後述する服用指示枠）に服用指示情報が記憶される。このとき、該利用者毎の識別コードも同時に入力することで、前記服用指示情報記憶手段２に利用者毎の服用指示情報を記憶させると共に、前記所定欄に服用指示情報が記憶されたスケジュール表を該入力された識別コードに該当する利用者の通信端末に前記通信手段を介して送信される。また、利用者には、本人が服用する医薬品の服用指示情報が印刷された紙が渡されるが、利用者端末Ｔを操作して前記送信されて記憶されているスケジュール表形式の服用指示画面１５（図３参照）を表示させて、服用指示を確認できるようになっている。
【００３０】
なお、図３で示した服用指示画面１５は、横方向に月日、縦方向に時間が表示され、この画面では、２００４年４月２５日から５月１日までの期間、７時３０分から２０時３０分（午後８時３０分）までの期間の服用予定及び服用履歴が示されている。この服用指示画面１５には、服用が指示された医薬品等と、その服用量、その服用日時などが、服用指示枠１７の中に表示されている。例えば、２７日午前９時３０分から午前１０時までの時間の服用指示枠１７では、服用すべき医薬品である「Ｂ薬」と、その右側の括弧内にその服用量である「２」が表示されている。また、医薬品名の左側には、後述するように服用履歴用のチェックボックス２２が備えられている。
【００３１】
なお、該服用指示画面１５の右側のスクロールバー１６を上下に移動させることで、それ以外の時間帯も表示できるようになっている。また、現在の月日が４月２９日であれば、月日欄２１の背景色を変更、又は点滅させる構成とすることによって、その当日に服用しなければならない医薬品及び服用時間がすぐに分かるようにすることができる。
【００３２】
医薬品を処方された利用者は、前記服用指示情報に従って医薬品を服用する。そして、医薬品を服用した後に、該利用者は前記利用者端末Ｔを操作して、前記服用履歴情報をサーバＳに入力し、前記服用履歴情報記憶手段３に該服用履歴情報を記憶させる。具体的には、図３に示す服用指示画面１５に示されている医薬品名の左側に備えられているチェックボックス２２（２２ｂ）にチェックを入れる（２２ａに示すように、「×」印を入れる）ことにより、該当する医薬品の服用履歴とする。つまり、図３では、４月２７日７時３０分から４月２９日１４時３０分までの間に指示された全ての医薬品の服用をしていることを示している。なお、図３のチェックボックス２２ｂのように、「×」印が入っていない医薬品に関しては、今後服用予定である若しくは過去に服用を忘れたことを示している。
【００３３】
そして、前記判断手段４は、前記利用者の服用指示情報と、該利用者の服用履歴情報とが一致しているかを否かを判断し、一致していないとき、つまり前述したように利用者が服用履歴情報を所定時間内に入力していないことがコンピュータにより判断された場合には、前記通知手段５が該利用者に対して電子メールなどの通信手段にて該利用者に通知し、医薬品を服用するように促す。なお、前記利用者への通知は、服用時間から所定時間経過した時点から更に所定時間経過しても、未だ服用履歴情報が入力されていない場合には、第２回目の通知を行ってもよく、これを繰り返して３回以上通知する構成であってもよいし、例えば２、３回程度の通知を行った後には、その日の通知は行わないように構成してもよい。
【００３４】
また、体温、血圧、脈拍などを測定した測定値を入力するときには、図３で示す、「体調レポート」ボタン２０を押下して、測定値入力画面（図示しない）を表示させ、各測定値を入力する。そして、それらの測定値と、医師によって予め定められた前記目標値とが一致した場合には、利用者に医薬品の服用中止を促す内容の電子メールを送信する。したがって、該電子メールを受信した利用者は、医薬品の服用を医師の判断に基づいて中止することができ、確実に病気を治療でき、且つ不必要に医薬品を服用する必要性もないので副作用などに悩まされることもない。
【００３５】
また、サーバＳは、前記服用指示情報の服用指示の日時と現在の日時を比較して、ほぼ同一であるときには、該当する利用者に服用指示に対応する医薬品を服用を促す電子メールを送信する。そして、該電子メールを受信した利用者は、この通知に従って医薬品の服用を行う。これによって、利用者は電子メールによって服用すべき時間を、容易に知ることができ、服用忘れを未然に防ぐことができる。特に、「食中に服用」、「食後二時間後に服用」などの服用指示の場合、仕事や勉強に集中しているときでも服用忘れを防止することができる。
【００３６】
また、利用者の健康状態を把握するための問診形式の質問内容を予めサーバＳに記憶させておき、診察前などに図３に示す、「気分」ボタン１９を押下して、アンケート画面２３（図６参照）を利用者端末Ｔの画面に表示させ、利用者は該質問内容に応答する。応答した結果を前記サーバＳに通信手段を介して送信し、該応答結果に基づいて、体調がＸに分類されるのかＹに分類されるのであるかを判断し、体調がＸに分類される場合には、図４のグラフを医師用端末の画面上に表示できるようにする。そして、医師は診察時に医師用端末の画面上に表示される図４のグラフを参考にして診察を行い処方箋を作成するのである。このように、問診形式の質問内容を利用者に質問することにより、体温、血圧、脈拍以外の利用者の健康状態を把握して、服用する医薬品などを選択するときの参考データとすることができるようになる。
【００３７】
また、医師は利用者が服用した医薬品やサプリメントの服用効果を図７（ａ），（ｂ）に示すように、男女別及び年齢別に分類されたグラフを参考にして服用する医薬品等を選択することによって、より一層利用者に合致した処方箋を作成することができる。
【００３８】
なお、上述の実施例では、サーバＳから利用者に対しては、電子メールによって、各種の通知を行っていたが、電話などの手段を用いて通知するようにしてもよい。但し、通信手段として電子メールを用いることにより、携帯電話やＰＤＡなどの携帯型通信端末とも送受信することができるため、外出先からも服用履歴を入力したり、各種通知を受け取ることができる。
【図面の簡単な説明】
【００３９】
【図１】医薬品等服用支援システムの概要を示した説明図である。
【図２】医薬品等服用支援システムのブロック図である。
【図３】服用指示画面の説明図である。
【図４】体調がＸに分類される場合の医薬品毎の利用者の体温変化をグラフである。
【図５】体調がＹに分類される場合の医薬品毎の利用者の体温変化をグラフである。
【図６】アンケート（質問事項）に応答する内容を入力するための画面を示す説明図である。
【図７】（ａ）は男性の年代別の薬に対する効力を示すグラフ、（ｂ）は女性の場合の年代別の薬に対する効力を示すグラフである。
【符号の説明】
【００４０】
１  服用指示情報入力手段
２  服用指示情報記憶手段
３  服用履歴情報記憶手段
４  判断手段
５  通知手段
６  健康状態入力手段
７  比較手段
８  目標値記憶手段
９  通知手段
１０  日時比較手段
１１  通知手段
１２  応答入力手段
１３  グラフ処理手段
１４  分類処理手段
１５  服用指示画面
１６  スクロールバー
１７  服用指示枠
１９  「気分」ボタン
２０  「体調レポート」ボタン
２１  月日欄
２２，２２ａ，２２ｂ  チェックボックス
２３  アンケート画面
Ｉ  インターネット（通信手段）
Ｍ  医師用の通信端末
Ｔ  利用者の通信端末
Ｓ  サーバ
【図１】
2005202647.tif 000003
【図２】
2005202647.tif 000004
【図３】
2005202647.tif 000005
【図４】
2005202647.tif 000006
【図５】
2005202647.tif 000007
【図６】
2005202647.tif 000008
【図７】
2005202647.tif 000009